(57)【要約】  本発明は、復水配管（３）および給水配管（１６）を含む水・蒸気回路（２）を有する発電所用の補助蒸気発生器システム（１）であって、復水配管（３）中に復水ポンプ（４）が接続され、給水配管（１６）中に給水ポンプ（５）が接続され、復水ポンプ（４）と給水ポンプ（５）との間に蓄圧タンク（６）が接続され、蓄圧タンク（６）の後の水・蒸気回路（２）における分岐点（７）に給水抜き取り配管（８）が接続されている補助蒸気発生器システム（１）に関する。本発明によれば、給水抜き取り配管（８）が蓄圧タンク（６）に接続され、給水抜き取り配管（８）中に加熱装置（９）が接続されている。【選択図】図１
2015510574.tif 000002
【特許請求の範囲】
【請求項１】
復水配管（３）および給水配管（１６）を備えた水・蒸気回路（２）を有する発電所用の補助蒸気発生器システム（１）であって、
前記復水配管（３）中に復水ポンプ（４）が接続され、前記給水配管（１６）中に給水ポンプ（５）が接続され、
前記復水ポンプ（４）と前記給水ポンプ（５）との間に蓄圧タンク（６）が接続され、
前記蓄圧タンク（６）の後方の水・蒸気回路（２）における分岐点（７）に給水抜き取り配管（８）が接続されている補助蒸気発生器システム（１）において、
前記給水抜き取り配管（８）が前記蓄圧タンク（６）に接続され、前記給水抜き取り配管（８）中に加熱装置（９）が接続されていることを特徴とする補助蒸気発生器システム（１）。
【請求項２】
補助蒸気負荷（１０）を備え、
前記蓄圧タンク（６）が蒸気配管（１１）を介して前記補助蒸気負荷（１０）に接続されている、請求項１記載の補助蒸気発生器システム（１）。
【請求項３】
前記加熱装置（９）と前記蓄圧タンク（６）との間における前記給水抜き取り配管（８）中に圧力保持弁（１２）が接続され、
前記圧力保持弁（１２）によって前記蓄圧タンク（６）内において蒸気圧力（１３）が調整可能であることを特徴とする請求項１又は２記載の補助蒸気発生器システム（１）。
【請求項４】
前記給水抜き取り配管（８）が前記水・蒸気回路（２）の給水配管（１６）に接続され、
前記加熱装置（９）の前の前記給水抜き取り配管（８）中に循環ポンプ（１３）が接続されていることを特徴とする請求項１乃至３の１つに記載の補助蒸気発生器システム（１）。
【請求項５】
前記給水抜き取り配管（８）が、前記給水ポンプ（５）の取り出し点（７）に接続されていることを特徴とする請求項１乃至３の１つに記載の補助蒸気発生器システム（１）。
【請求項６】
前記加熱装置（９）が、電気式であることを特徴とする請求項１乃至５の１つに記載の補助蒸気発生器システム（１）。
【請求項７】
ガス・蒸気複合タービン発電所において使用されることを特徴とする請求項１乃至６の１つに記載の補助蒸気発生器システム（１）。
【請求項８】
太陽熱を利用して蒸気発生を行うＣＳＰ蒸気発電所において使用されることを特徴とする請求項１乃至６の１つに記載の補助蒸気発生器システム（１）。
【請求項９】
水・蒸気回路（２）中に接続された蓄積器（２２）を用いて発電所プロセス（２１）において補助蒸気発生（２０）を行う方法であって、
前記蓄積器（２２）内に復水（２３）が前記水・蒸気回路（２）から運び込まれ、
前記復水（２３）が前記蓄積器（２２）に蓄積され、混合され、脱気され、
引き続いて前記復水（２３）が給水（２４）として前記蓄積器（２２）から導き出され、
導き出された前記給水（２４）の部分流（２５）が抜き取られ、
前記部分流（２５）が加熱プロセス（２６）において加熱され、
その加熱された部分流（２５）が前記蓄積器（２２）内に戻される、補助蒸気発生方法。
【請求項１０】
蒸気（２７）が前記蓄積器（２２）から抜き取られて前記発電所プロセス（２１）の補助蒸気プロセス（２８）に供給される、請求項９記載の方法。
【請求項１１】
前記給水（２４）の部分流（２５）が、前記加熱プロセス（２６）において給水（２４）の沸点の下方における十分な間隔まで加熱され、前記蓄積器（２２）内で給水（２４）の部分流（２５）の膨張により運ばれ蒸発させられる、請求項９又は１０記載の方法。
【請求項１２】
前記加熱された給水が、ポンププロセス（２９）によって前記蓄積器内へ運ばれる、請求項１１記載の方法。
【請求項１３】
前記給水（２４）の部分流（２５）が、前記加熱プロセス（２６）において沸点まで加熱され、
前記蒸気（２７）が圧力上昇のもとで形成され、前記蒸気（２７）と前記給水（２４）との間の密度差の利用により前記蒸気（２７）が前記蓄積器（２２）内で運ばれる、請求項９又は１０記載の方法。
【請求項１４】
前記給水（２４）の部分流（２５）が、前記加熱プロセス（２６）において電気的に加熱される、請求項９乃至１３の１つに記載の方法。
【請求項１５】
前記発電所プロセス（２１）が、運転停止中、始動する時および停止する時、又は部分負荷時の非定常的な運転状態にある際に、前記発電所プロセス（２１）に蒸気（２７）を供給するために、前記補助蒸気発生のための方法が作動させられる、請求項９乃至１４の１つに記載の方法。
【請求項１６】
前記発電所プロセス（２１）が、水・蒸気回路を有するガス・蒸気複合タービンプロセスを含み、
前記補助蒸気発生方法が前記ガス・蒸気タービン複合プロセスの前記水・蒸気回路に組み込まれている、請求項９乃至１５の１つに記載の方法。
【請求項１７】
前記発電所プロセス（２１）が、太陽熱蒸気発生プロセスによるＣＳＰ蒸気発電所プロセスであり、
前記補助蒸気発生方法が前記ＣＳＰ蒸気発電所プロセスの水・蒸気回路に組み込まれている、請求項９乃至１５の１つに記載の方法。
【発明の詳細な説明】
【技術分野】
【０００１】
水・蒸気回路を有する通常の発電設備は、付加的なプロセス、特に運転モード又は動作状態に対して、事情によっては、本来の蒸気発生プロセスによって準備できない付加的な蒸気を必要とする。これらの特定の運転状態には、特に非定常運転状態、運転停止、部分負荷運転が含まれ、あるいは始動および停止過程も含まれる。例えば運転停止時には、給水の圧力維持もしくは保温のために、また蒸気タービンのシール蒸気の供給のために、補助蒸気が必要とされる。本来の蒸気発生プロセスによって生成できる蒸気は、場合によっては、給水タンクの圧力維持や、発電所設備の他の補助システムの運転にとって、十分でないか、又は完全に十分ではない。
【背景技術】
【０００２】
この問題に対処するために、従来技術による通常の発電所設備の水・蒸気回路内には、付加的な補助蒸気発生器が組み込まれている。これらの補助蒸気発生器は、化石燃料式のボイラ、いわゆる補助蒸気ボイラである。これらの補助蒸気発生器はガス又は石油で運転され、あるいは他の化石燃料でも運転される。
【０００３】
この種の補助蒸気発生器は、発電所設備の建設時に、特に水・蒸気回路内への補助蒸気発生器の高価複雑な相互接続と補助蒸気システムとによって、高額な投資を必要とする。複雑な相互接続によって、補助蒸気発生器は大きなスペースを必要とする。さらに、補助蒸気発生器は建設時に追加の認可費用を必要とする。補助蒸気発生器は、特に特定の運転用に設けられていることから、補助蒸気発生器は、発電所設備の平常運転中には必要でないが、それにもかかわらずランニングコストもしくは効率損失を生じる。というのは、補助蒸気発生器は、電気的に、又は発電所設備の水・蒸気回路からの蒸気により、保温されなければならないからである。補助蒸気発生器は、些細とは言えない定期的メンテナンス費用も発生する。
【発明の概要】
【発明が解決しようとする課題】
【０００４】
本発明の課題は、従来技術の欠点を回避し、とりわけ設備費用を大幅に低減することができる補助蒸気発生器システムを提供することにある。さらに、本発明の課題は従来技術の欠点が回避される補助蒸気発生方法を提供することにある。
【課題を解決するための手段】
【０００５】
補助蒸気発生器システムの提供に向けられた本発明の課題は、装置発明としての請求項１の特徴事項によって解決される。
【０００６】
復水配管を有する水・蒸気回路を含み、復水配管中に復水ポンプが接続され、給水配管中に給水ポンプが接続されている発電所用の補助蒸気発生器システムを提案する。さらに、復水ポンプと給水ポンプとの間の配管中に蓄圧タンクが接続され、その蓄圧タンクの後における水・蒸気回路の分岐点に給水抜き取り配管が接続されている。本発明によれば、今や、給水抜き取り配管が蓄圧タンクに接続されており、給水抜き取り配管中に加熱装置が接続されている。
【０００７】
発電所の給水タンクが蓄圧タンクとして設けられ、従って、その給水タンクは、今や、水・蒸気回路のために復水もしくは給水を蓄積し、さらに発電所の補助蒸気供給のために蒸気もしくは飽和蒸気を供給する。そのために、加熱装置が、該加熱装置により給水を加熱できるように設計されているので、蓄圧タンク内において相応の圧力低減後に蒸気が発生可能である。
【０００８】
本発明によって、プロセス蒸気が十分にない特別運転状態においても、追加の補助蒸気発生器を必要とすることなしに、給水タンクもしくは蓄圧タンクを、必要な圧力もしくは適切な温度に維持することができる。これによって、給水タンクが蓄熱器として利用される（ルース蓄熱器）。そのために、給水タンクは、高度の要求に応じて場合によっては、付加的な蓄圧機能のない場合よりも大きく設計されている。
【０００９】
本発明によって、発電所において補助蒸気発生を著しく簡単に実現することができる。というのは、追加の蒸気蓄積器および化石燃料式の補助蒸気発生器を省略することができるからである。それによって、一方では補助システムのための少ない所要スペースによる利点がもたらされる。他方では本発明によってエネルギー消費も低減される。従来の補助ボイラは、電気又は蒸気により保温されなければならず、高い運転停止損失も有する。さらに、今や蓄圧タンクはエネルギー蓄積器として利用されるので、蓄圧タンクはそれゆえにいずれにせよ高温である。従って、保温のための追加のシステムおよび配管を省略することができる。さらに、本発明によって複雑さが低下するので、メンテナンス費用が低減され、有用性が著しく向上する。
【００１０】
蓄圧タンク内に蓄積された蒸気は、有利に補助蒸気負荷への供給に使用することができる。そのために発電所は他の補助蒸気負荷を含み、蓄圧タンクは蒸気配管を介してそれらの補助蒸気負荷に接続されている。
【００１１】
そのために、蒸気圧力および蒸気温度のような蓄圧タンク内の蒸気パラメータは、供給される側の補助蒸気負荷に応じて調整される。その調整は加熱、復水再供給又は給水ポンプ、および／又は絞り弁により行われる。補助蒸気発生システムの有利な発展形態では、加熱装置と蓄圧タンクとの間の給水抜き取り配管中に圧力保持弁が接続されており、その圧力保持弁によって、その都度の運転温度において運転圧力が媒体の蒸気圧力に対して十分に高い間隔内にある限り、加熱装置と蓄圧タンクとの間の圧力が高められる。
【００１２】
補助蒸気発生システムの好ましい実施形態においては、給水抜き取り配管が水・蒸気回路の復水配管に接続されており、加熱装置の前の給水抜き取り配管中に循環ポンプが接続されている。その循環ポンプによって、流量、加熱によりかつ減圧弁位置に応じて間接的に蒸気パラメータを調整することができる。さらに、発電所の実施形態に応じて、給水抜き取り配管が、給水ポンプの取り出し点又は給水ポンプの後に接続されていると有利である。そのためには特別に構成された給水ポンプが必要である。
【００１３】
補助蒸気発生器システムの格別に有利な実施形態では加熱装置が電気式である。本発明によって、特に発電所設備費用が低減される。というのは、補助蒸気発生器のために電気加熱される加熱装置を採用することによって、そうでなければ設置が必要であった、複雑かつ高価な補助蒸気発生器を省略することができるからである。本発明を太陽発電所において使用する場合に、電気式加熱装置の使用によって、完全な「再生エネルギー生成」を実現することができる。電気加熱される加熱装置はエミッションフリーの動作をするので、太陽発電所設備に対して少ない認可費用を計算に入れることができる。化石燃料による補助蒸気発生の省略によって、燃料の貯蔵および分配のための燃料システムが必要でない。
【００１４】
補助蒸気発生器システムは、有利にガス・蒸気タービン複合発電所において使用される。しかし、その他の化石燃料による蒸気発電所設備においても、補助蒸気発生器システムの利点を利用することができる。補助蒸気発生器システムは、太陽熱を利用して蒸気発生を行うＣＳＰ（Concentrating Solar Power、集光型太陽熱発電）蒸気発電所においても非常に有利に使用される。
【００１５】
補助蒸気発生方法に向けられた本発明の課題は、方法発明としての請求項９の特徴事項によって解決される。
【００１６】
発電所プロセスにおける本発明による補助蒸気発生方法では、水・蒸気回路中に接続された蓄積器が設けられ、蓄積器内に水・蒸気回路から復水が運び込まれる。その復水が、蓄積器内に蓄積され、混合され、脱気され、引き続いて給水として蓄積器から導き出され、その導き出された給水の部分流が抜き取られる。本発明によれば、今や、その部分流が加熱プロセスにおいて加熱されて、再び蓄積器内へ戻される。
【００１７】
その蓄積器は、水・蒸気回路用の流体の体積を中間蓄積することができる給水用の蓄積タンクに相当する。それによって、この蓄積タンクは給水のための緩衝器としても役立つ。
【００１８】
部分流が沸点の下方又は沸点の上方の十分な間隔にある温度に加熱される。その加熱された部分流を蓄積器に戻すことによって、蓄積器内の圧力が高められる。それによって蓄積器は付加的にプロセス蒸気のための蓄圧器として利用できる。
【００１９】
それゆえ、プロセス蒸気のための追加の蓄圧器と、さもなければ必要な、複雑かつ高価な補助蒸気発生器とを省略することができるので、本発明による方法によって発電所プロセスの設備費用を低減することができる。しかも、本発明による方法によって、複雑性を著しく少なくした補助蒸気発生プロセスを実現することができる。そのために、有利な実施形態では、蒸気が蓄積器から引き出されて発電所プロセスの補助蒸気プロセスに供給される。
【００２０】
その際に蒸気は異なる方法によって発生させることができる。好ましい実施形態では、給水の部分流が加熱プロセスにおいて先ず給水の沸点すれすれまで加熱され、そして蓄積器内で給水の膨張により運ばれ蒸発させられる。給水が加熱される温度の沸点までの間隔が十分に大きいので、蓄積器への導入前にはまだ蒸発は起きない。その際に、加熱された給水がポンププロセスによって蓄積器へ運ばれと有利である。ポンププロセスは、特に循環ポンプと、場合によって弁とから構成される。
【００２１】
代替実施例では、給水の部分流が加熱プロセスにおいて給水の沸点まで又は沸点以上に加熱され、蒸気が圧力上昇下で形成され、蒸気と給水との間の密度差の利用により蒸気が蓄積器内で運ばれる。この場合に追加のポンプが省略できる。
【００２２】
給水の部分流が加熱プロセスにおいて電気的に加熱されると、格別に有利である。それによってエミッションフリーの蒸気発生を実現することができる。
【００２３】
本発明による補助蒸気発生方法は、発電所が運転停止中、又は部分負荷運転中、又は始動／停止中の非定常運転状態にある場合に、発電所プロセスに蒸気を供給するのに、有利に動作させられる。その場合に、発電所プロセスが、とりわけ水・蒸気回路を有するガス・蒸気タービン複合プロセスを含み、補助蒸気発生方法がガス・蒸気タービン複合プロセスの水・蒸気回路に組み込まれているとよい。
【００２４】
代替方法では、発電所プロセスが、太陽熱蒸気発生プロセスを有するＣＳＰ蒸気発電所プロセスであり、補助蒸気発生方法がＣＳＰ蒸気発電所プロセスの水・蒸気回路に組み込まれている。
【００２５】
以下において、本発明の実施例を例に基づいてさらに詳細に説明する。
【図面の簡単な説明】
【００２６】
【図１】図１は発電所用の補助蒸気発生器システムを示す。
【図２】図２は発電所プロセス用の補助蒸気発生方法を示す。
【発明を実施するための形態】
【００２７】
図１には、化石燃料発電所又は太陽発電所に組み込むことができる補助蒸気発生器システム１が示されている。その発電所は水・蒸気回路２を含むが、その水・蒸気回路のうち、ここでは復水配管３の部分だけが示されている。
【００２８】
復水配管３中には主に復水ポンプ４、蓄圧タンク６が接続され、給水配管１６中には給水ポンプ５が接続されている。復水ポンプ４によって、復水が蓄圧タンク６へ運び込まれる。蓄圧タンク内では復水が脱気、混合および蓄積され、それから腹水が給水ポンプ５によって給水配管１６を通して再び水・蒸気回路２へ送り出される。
【００２９】
本発明によれば、蓄圧タンク６と給水ポンプ５との間の給水配管１６における分岐点７に接続された給水抜き取り配管８が設けられている。給水抜き取り配管８が直接に給水ポンプ５に又は給水ポンプ５の後に接続されている代替的な実施形態が、ここには示されていない。
【００３０】
給水抜き取り配管８は給水配管１６を蓄圧タンク６に接続する。給水抜き取り配管８中には主に循環ポンプ１３および加熱器９が接続されている。加熱装置９によって、抜き取られた給水部分流が加熱可能である。さらに給水抜き取り配管８中には部分流を制御するための弁が接続されている。加熱装置９と蓄圧タンク６との間に調圧弁１２が接続されており、この調圧弁１２によって蓄圧タンク内の圧力が調整可能に保持される。
【００３１】
単独の循環ポンプ１３によって蓄圧タンク６から給水の或る量が取り出され、加圧され、電気加熱装置９において沸点に対して十分な余裕がある温度にまで加熱され、最終的に調圧弁１２もしくは調整弁を介して蓄圧タンクの中へ解放される。加熱されて高圧力下にある給水が蓄圧タンク６の圧力へ解放されることによって、その一部が蒸発する。
【００３２】
循環ポンプ１３の後方において給水抜き取り配管８に戻し配管１４が接続されている。従って、循環ポンプ１３とその循環ポンプ１４の最低量導管とによって給水の循環を可能にする回路がもたらされる。
【００３３】
蓄圧タンク６には蒸気を導き出すために蒸気配管１１が接続されている。蒸気配管１１は蓄圧タンク６を補助蒸気負荷１０に接続する。蒸気の調節および絞りのために、蒸気配管１１中には電動操作式又は空気圧操作式の調節弁が接続されている。それゆえ、補助蒸気負荷は必要な補助蒸気を専ら蓄圧タンク６から受け取る。
【００３４】
さらに、水・蒸気回路２の復水配管３の部分は平衡配管１５を有し、この平衡配管１５は、復水ポンプ４と蓄圧タンク６との間の復水配管３の部分を、蓄圧タンク６と循環ポンプ１３との間の給水抜き取り配管８の部分に接続する。その平衡配管中に電動操作式又は空気圧操作式の調節弁が接続されているとよい。
【００３５】
図２は、化石燃料発電所プロセス又は太陽発電所プロセスに組み込み得る補助蒸気発生方法を示す。ここでは、発電所プロセスにおいて凝縮後に発生するような復水２３の形での給水２４のための水・蒸気回路２の部分が示されている。
【００３６】
この補助蒸気発生方法は、主に蓄積器２２および過熱プロセス２６を含む。蓄積器２２に、先ず復水２３が水・蒸気回路２から供給される。蓄積器２２内に、復水２３、つまり給水２４が蓄積され、混合され、脱気される。続いて給水２４が再び導き出され、水・蒸気回路２へ蒸発のために導入される。
【００３７】
導き出された給水２４から、今や部分流２５が抜き取られて、加熱プロセス２６に導かれる。この加熱プロセスにおいて給水２４が加熱され、再び蓄積器２２に戻される。部分流２５を蓄積器２２へ運び戻すために、ポンププロセス２９が設けられている。
【００３８】
加熱プロセス２６での給水２４の加熱によって、蓄積器２２内で蒸気２７が生成され、その蒸気は、今や蓄積器２２から補助蒸気プロセスに供給することができる。
【００３９】
蓄積器２２からの蒸気２７の供給によって、付加的な化石燃料式の補助蒸気発生装置を省略することができる。
【符号の説明】
【００４０】
１          補助蒸気発生器システム
２          水・蒸気回路
３          復水配管
４          復水ポンプ
５          給水ポンプ
６          蓄圧タンク
７          分岐点
８          給水抜き取り配管
９          加熱装置
１０        補助蒸気負荷
１１        蒸気配管
１２        圧力保持弁
１３        循環ポンプ
１４        戻し配管
１５        平衡配管
１６        給水配管
２０        補助蒸気発生方法
２１        発電所プロセス
２２        蓄積器
２３        復水
２４        給水
２５        部分流
２６        加熱プロセス
２７        蒸気
２８        補助蒸気プロセス
２９        ポンププロセス
【図１】
2015510574.tif 000003
【図２】
2015510574.tif 000004
【国際調査報告】
2015510574.tif 000005
2015510574.tif 000006
2015510574.tif 000007
2015510574.tif 000008
2015510574.tif 000009
2015510574.tif 000010